(57)【要約】  測定流路（１７）は、フローセル（１）の略中央に設けられている。通常、測定装置の測定領域は、測定チップの略中央に焦点が合うように設定されている。このため、フローセル（１）は、測定装置に搭載したときに、測定領域の焦点が測定流路（１７）にちょうど位置することとなるので、その測定流路（１７）を流れる試料溶液をより確実に測定することができる。また、吸引ポンプ（１８）を測定流路（１７）の周囲の領域に設けることにより、フローセルが同じ平面形状を有する場合、従来のように各構成要素を一直線に並べて形成したときよりも、流すことができる試料溶液の容量を増やすことができる。これにより、流路に試料溶液を流す時間や容量を増加でき、測定時間も増加させることができるので、結果として、流路を流れる試料溶液をより確実に測定することができる。
2009096527.tif 000002
【特許請求の範囲】
【請求項１】
板状部材と、
前記板状部材に開口し、液体が供給される導入口と、
前記板状部材内に形成され、前記導入口に一端が接続される流路と、
前記板状部材に形成され、前記流路の他端が接続され、前記導入口から前記流路を経て流れてきた前記液体を表面張力により吸引するポンプ部と
を備え、
前記流路は、前記板状部材の平面視略中央に形成され、
前記ポンプ部は、前記流路の周囲に形成される
ことを特徴とするフローセル。
【請求項２】
前記ポンプ部は、前記導入口が設けられた前記一端側を除く前記流路の周囲に形成されることを特徴とする請求項１記載のフローセル。
【請求項３】
前記ポンプ部は、前記流路の前記延在方向と垂直な方向に前記流路を挟んだ両側に設けられることを特徴とする請求項１記載のフローセル。
【請求項４】
前記ポンプ部は、前記板状部材内に形成された空洞と、前記空洞内に前記流路と垂直方向に形成された複数の柱状部材とを備えることを特徴とする請求項１記載のフローセル。
【請求項５】
前記ポンプ部は、
前記板状部材内に形成され、前記流路の他端に接続する吸引流路と、
前記板状部材に形成され、前記吸引流路と外部とを連通する複数の連通孔と
を備えることを特徴とする請求項１記載のフローセル。
【発明の詳細な説明】
【技術分野】
【０００１】
本発明は、測定装置により測定が行われる所定の流路とこの流路に試料溶液を流すためのポンプとを備えたフローセルに関するものである。
【背景技術】
【０００２】
抗原抗体反応やＤＮＡ断片（ＤＮＡプローブ）とＤＮＡとの結合などの高度な生体分子の識別機能を利用した測定は、臨床検査，生化学分野での測定，および環境汚染物質の測定で重要な技術となっている。この測定としては、例えば、マイクロＴＡＳ（Total Analysis Systems），マイクロコンビナトリアルケミストリ，化学ＩＣ，化学センサ，バイオセンサ，微量分析，電気化学分析，ＱＣＭ測定，ＳＰＲ測定，ＡＴＲ測定などがあるが、このような測定の分野では、測定対象の試料溶液は微量な場合が多い。【０００３】
このため、上述したような測定においては、微量な試料溶液をこのまま検出部まで移送することにより、検体の濃度を低下させることなくより高感度，高効率に測定を行うようにしている。微量な試料溶液の移送を実現する技術としては、基板の上に幅が数百μｍの流路を作製し、シリンジポンプ等による外部からの圧力で溶液を移送させる方法，静電気力で溶液を移送させる方法，エレクトロウエッティング法，加熱による体積変化や気泡の生成により溶液を移送させる方法，および電気浸透流を利用する方法などがある。【０００４】
しかしながら、これらの方法で微量な試料溶液を移送するためには、例えば、基板（チップ）の上に微細な溝を流路として形成するとともに、同じ基板の上に他の構成部品を設ける必要があるので、このような構成を作製するのは容易ではない。また、外部からの圧力で試料溶液を移送する場合、流路を構成するチップ以外に、ポンプや配管などの部品が必要となる。この結果、その配管などの移送経路のために試料溶液の無駄が発生することになるので、試料溶液の微量化には限界があった。【０００５】
また、従来より微量な試料溶液を分析する方法として、濾紙を用いたペーパークロマトグラフィー分析方法が知られている。例えば、生体関連物質の測定としては、簡便で安価な手段として、改良したイムノクロマト法や、イムノコンセントレーション法などが提案されている（特公平７−０３６０１７号公報、特開２０００−３２９７６６号公報）。また、プラスチックの構造体に形成された流路に濾紙を配置した測定チップもある（Amal. Chem. 2005, 77, 7901-7907.）。しかしながら、これらのようなペーパークロマトグラフィー法では、流路の形状などに制限があり、複雑な化学分析が行えないという問題がある。【０００６】
そこで、近年では、微細加工技術により、基板上または基板内に毛細管現象により試料溶液を移送する流路やポンプとなる領域を形成することが提案されている（Martin Zimmermann, Heinz Schmid, Patrick Hunziker and Emmanuel Delamarche, “Capillary pumps for autonomous capillary systems”, The Royal Society of Chemistry 2007, Lab Chip, 2007, 7, 119-125, First published as an Advance Article on the web 17th October 2006）。この技術により作成された測定チップは、試料溶液が導入される導入口と、その試料溶液を吸引する毛細管ポンプと、導入口と毛細管ポンプとの間に設けられた測定流路とが、基板の平面方向に沿って一直線に並んで形成されている。このような測定チップでは、導入口に試料溶液が導入されると、この導入口から測定流路およびポンプへと順次試料溶液が流出し、毛細管ポンプに試料溶液が到達すると毛細管ポンプに生じる毛細管現象により当該試料溶液が吸引される。これにより、導入口に貯留された試料溶液は、毛細管ポンプの吸引力によって、測定流路を介してポンプへと流れていく。
【発明の開示】
【発明が解決しようとする課題】
【０００７】
しかしながら、従来の毛細管ポンプを用いた技術では、測定チップにおいては、各構成要素を一直線に並べて形成していたので、測定が行われる流路（以下、測定流路という）の位置を他の構成要素との兼ね合いによって決定していた一方、測定装置においては、予め測定チップの所定の位置に焦点を合わせて測定機構を配置していたので、測定を行う際には、測定流路の位置に応じて測定装置の測定機構の設定を変更することが必要となり、手間がかかっていた。測定流路の位置によっては、測定機構の設定の大掛かりな変更が必要となったり、場合によっては、測定自体が不可能になったりすることがあった。【０００８】
また、所定の形状に測定チップを形成しようとすると、毛細管ポンプに割り当てることができる領域が限定されるので、毛細管ポンプの容量も限定されることとなり、流路に試料溶液を流すことができる時間も限られ、結果として十分な測定時間を確保できないことがあった。【０００９】
そこで、本願発明は、上述したような課題を解決するためになされたものであり、より確実に流路を流れる液体を測定することができるフローセルを提供することを目的とする。
【課題を解決するための手段】
【００１０】
本発明に係るフローセルは、板状部材と、前記板状部材に開口し、液体が供給される導入口と、前記板状部材内に形成され、前記導入口に一端が接続される流路と、前記板状部材に形成され、前記流路の他端が接続され、前記導入口から前記流路を経て流れてきた前記液体を表面張力により吸引するポンプ部とを備え、前記流路は、前記板状部材の平面視略中央に形成され、前記ポンプ部は、前記流路の周囲に形成されることを特徴とするものである。
【発明の効果】
【００１１】
本発明によれば、板状部材の平面視略中央に流路が形成されているので、この流路を流れる液体をより確実に測定することができる。また、流路の周囲にポンプ部が形成されるので、ポンプ部の容量を増やすことができ、液体を大量かつ長時間流すことができるので、結果として、その液体をより確実に測定することができる。
【図面の簡単な説明】
【００１２】
【図１】図１は、本発明に係る第１の実施例におけるフローセルの構成例を示す平面図である。
【図２】図２は、図１のI-I線断面図である。
【図３】図３は、図１のフローセルを下面方向から見た場合の分解斜視図である。
【図４】図４は、本発明に係る第２の実施例におけるフローセルの構成例を示す平面図である。
【図５】図５は、図４のII-II線断面図である。
【図６】図６は、図４のIII-III線断面図である。
【図７】図７は、図４のフローセルを下面方向から見た場合の分解斜視図である。
【図８】図８は、本発明に係る第３の実施例におけるフローセルの構成を示す平面図である。
【図９】図９は、図８のフローセルを下面方向から見た場合の分解斜視図である。
【図１０】図１０は、本発明に係る第４の実施例におけるフローセルの構成を示す平面図である。
【図１１】図１１は、図１１のフローセルを上面方向から見た場合の分解斜視図である。
【図１２】図１２は、本発明に係る第５の実施例におけるフローセルの構成を示す斜視図である。
【図１３】図１３は、本発明に係る第５の実施例におけるフローセルの構成を示す斜視図である。
【図１４】図１４は、本発明に係る第５の実施例におけるフローセルの構成を示す平面図である。
【図１５】図１５は、ＳＰＲ測定装置の構成例を示す構成図である。
【発明を実施するための最良の形態】
【００１３】
［第１の実施例］
以下、図面を参照して、本発明に係る第１の実施例について詳細に説明する。【００１４】
＜フローセルの構成＞
図１〜図３に示すように、本実施例に係るフローセル１は、平面視略矩形の第１の基板１１と、この第１の基板１１上に配設されるシート状部材１２と、このシート状部材１２上に配設される第２の基板１３とから構成されている。これらは積層され、１つの板状部材を形成する。このようなフローセル１には、第２の基板１３を貫通し試料溶液が導入される導入口１４と、シート状部材１２と第２の基板１３との間に形成された吸引ポンプ１８と、この吸引ポンプ１８と導入口１４と接続する流路とが設けられている。この流路は、一端が導入口１４に接続しシート状部材１２と第２の基板１３との間に形成された抵抗流路１５と、この抵抗流路１５の他端に接続し第１の基板１１と第２の基板１３との間にあるシート状部材１２内に形成された空間部１６と、一端が空間部１６に他端が吸引ポンプ１８に接続し空間部１６と同様にシート状部材１２内に形成され外部装置により測定光等が照射される測定流路１７とから構成されている。【００１５】
≪第１の基板≫
第１の基板１１は、例えばＢＫ７などの光学ガラスから構成され、板厚が１ｍｍ程度で一辺が１６ｍｍ程度の平面視略矩形の板状の形状を有している。また、第１の基板１１の上面、すなわち第１の基板１１のシート状部材１２が載置される側の表面には、メッキ加工、蒸着またはスパッタなどによりＡｕ層１１ａが選択的に設けられている。このような第１の基板１１の材料は、測定に用いられる光等の性質に応じて設定される。また、Ａｕ層１１ａは、上記測定流路１７に対応する部分のみに形成するようにしてもよいが、全面に形成してもよいことは言うまでもない。【００１６】
≪シート状部材≫
シート状部材１２は、１０μｍ〜１５０μｍ程度の厚さを有する例えば公知の粘着テープなどから構成され、第１の基板１１に対応した平面形状を有している。このようなシート状部材１２には、略中央に設けられた平面視略矩形のスリット１２１と、このスリット１２１の一端に接続された平面視略円形の開口部１２２とが形成されている。ここで、スリット１２１は、長手方向（Ｙ方向）がシート状部材１２の何れかの側部と略平行になるように形成されている。【００１７】
上述したスリット１２１は、第１の基板１１の上面および第２の基板１３の下面とともに、略直方体状の空間からなる測定流路１７を形成する。この測定流路１７の長手方向に垂直な断面は、水溶液に対して毛細管現象が発現する範囲の寸法とされる。【００１８】
また、上述した開口部１２２は、第１の基板１１の上面および第２の基板１３の下面とともに、略円柱状の空間からなる空間部１６を形成する。この空間部１６は、水溶液に対して毛細管現象が発現する範囲の断面寸法とされる。【００１９】
このようなシート状部材１２は、例えば、粘着テープをカッターやレーザなどで所望の形状に加工することにより、作製することができる。【００２０】
≪第２の基板≫
第２の基板１３は、０．５〜５ｍｍ程度の厚さを有する例えばアクリルなどから構成され、第１の基板１１およびシート状部材１２に対応した平面形状を有する。このような第２の基板１３の一側寄りの略中央には、上記導入口１４を形成する貫通孔１３１が形成されている。また、第２の基板１３の下面には、一端がその貫通孔１３１に接続し上記抵抗流路１５を形成する蛇行溝１３２と、上記一側とは反対側の他側寄りに上記吸引ポンプ１８を形成する空洞部１３３とが設けられている。【００２１】
蛇行溝１３２は、複数の屈曲部を有し、両端を結ぶ方向、すなわち導入口１４と空間部１６とを結ぶ方向に対して垂直な方向に繰り返し折り曲げられたクランク状の平面形状を有している。その屈曲部は、略直角に折り曲げられている。なお、上記両端を結ぶ方向（Ｙ方向）は、第２の基板１３の上記一側と上記他側との距離方向と略平行とされている。【００２２】
空洞部１３３は、第２の基板１３の下面から上面に向けて設けられ、この空洞内にはその天井から下方に向かって突出した略円柱状の複数の突出部１３３ａが設けられている。複数の突出部１３３ａの間隔を毛細管現象が発現する範囲とすることにより、この空洞部１３３は、吸引ポンプとして作用する。このような空洞部１３３は、第２の基板１３の中央部の周囲を取り囲むように平面視略「コ」の字状に形成され、第２の基板１３における上記一側寄りの両端部と上記他側寄りの両角には、第２の基板１３を貫通する空気孔１３３ｂ〜１３３ｅが形成されている。【００２３】
上述した貫通孔１３１は、シート状部材１２の上面を底とする略円柱状の空間からなる導入口１４を形成する。【００２４】
また、上述した蛇行溝１３２は、第２の基板１３とシート状部材１２とが接することにより蛇行した抵抗流路１５を形成する。この抵抗流路１５は、水溶液に対して毛細管現象が発現する範囲の断面寸法とされる。【００２５】
また、上述した空洞部１３３における突出部１３３ａの間隔，幅，高さなど、吸引ポンプ１８の内部の各寸法は、毛細管現象が発現する範囲の値とされる。【００２６】
上述したような第２の基板１３は、例えば、所定のパターンが形成された金型を用いた射出成形加工、レーザ加工、エンドミル等による切削加工などによって、作製することができる。【００２７】
＜フローセルの製造方法＞
次に、本実施例に係るフローセル１の製造方法の一例について説明する。まず、第１の基板１１上にシート状部材１２を載置する。ここで、Ａｕ層１１ａを第１の基板１１の一部のみに設けた場合、測定流路１７を形成するスリット１２１が上記Ａｕ層１１ａ上に位置するように、第１の基板１１上にシート状部材１２を載置する。【００２８】
次に、蛇行溝１３２の他端がシート状部材１２の開口部１２２内部に位置し、かつ空洞部１３３内部にシート状部材１２のスリット１２１の他端が位置するように、シート状部材２上に第２の基板１３を載置する。【００２９】
このように第１の基板１１，シート状部材１２および第２の基板１３を積層し、これらを第１の基板１１の下面側と第２の基板１３の上面側から押圧する。これにより、両面テープなどからなるシート状部材１２を介して第１の基板１１と第２の基板１３が互いに固定され、導入口１４，抵抗流路１５，空間部１６，測定流路１７および吸引ポンプ１８を備えたフローセル１が完成する。【００３０】
＜フローセルの動作＞
次に、本実施例に係るフローセル１の動作について説明する。【００３１】
まず、導入口１４に試料溶液が注入されると、この試料溶液は、毛細管現象により抵抗流路１５、空間部１６および測定流路１７の順で進み、吸引ポンプ１８に流入する。この吸引ポンプ１８の内部は、複数の突出部１３３ａが形成されているので、この突出部１３３ａが形成されていない場合よりも単位体積当たりの表面積が大きくなっており、毛細管現象が発現する寸法となっている。本実施例においては、吸引ポンプ１８内部の試料溶液の液面に作用する表面張力が、導入口１４内部の試料溶液の液面に作用する表面張力よりも大きくなるように、突出部１３３ａの形状や間隔等が設定されている。【００３２】
したがって、導入口１４に注入された試料溶液は、抵抗流路１５、空間部１６および測定流路１７を通って吸引ポンプ１８に流入し、この吸引ポンプ１８内部を進行していく。なお、この進行する速度は、突出部１３３ａの外形や間隔などの空洞部１３３の形状や試料溶液にかかる抵抗等によって変化する。【００３３】
ここで、本実施例では、図１に示すように、フローセル１の略中央に測定流路１７が設けられている。通常、測定装置の測定領域は、測定チップの略中央に焦点が合うように設定されている。このため、本実施例に係るフローセル１は、測定装置に搭載したときに、測定領域の焦点が測定流路１７にちょうど位置することとなり、結果として、その測定流路１７を流れる試料溶液をより確実に測定することができる。これにより、従来のように、焦点を再設定する際の手間を省くこともできる。【００３４】
また、本実施例では、図１に示すように、測定流路１７の周囲、すなわち、フローセル１を平面視した状態における測定流路１７の一端側（空間部１６が接続された側）を除く領域に、測定流路１７を取り囲むように略コの字状の平面形状を有する吸引ポンプ１８が設けられている。より具体的には、Ｘ方向およびＹ方向に沿った縁部を有するフローセル１において、フローセル１のＹ方向に沿った縁部と測定流路１７との間の領域、および、測定流路１７の他端側に位置するフローセル１のＸ方向に沿った縁部と測定流路１７との間の領域に、吸引ポンプ１８が設けられている。このように、吸引ポンプ１８を測定流路１７の周囲の領域に設けることにより、フローセルが同じ平面形状を有する場合、従来のように各構成要素を一直線に並べて形成したときよりも、流すことができる試料溶液の容量を増やすことができる。これにより、流路に試料溶液を流す時間や容量を増加でき、測定時間も増加させることができるので、結果として、流路を流れる試料溶液をより確実に測定することができる。【００３５】
［第２の実施例］
次に、本発明の第２の実施例について説明する。なお、本実施例は、吸引ポンプを測定流路の両側に設けたものである。したがって、本実施例において、上述した第１の実施例と同等の構成要素については、同じ名称を付し、適宜説明を省略する。【００３６】
＜フローセルの構成＞
図４〜図７に示すように、本実施例に係るフローセル２は、平面視略矩形の第１の基板２１と、この第１の基板２１上に配設されるシート状部材２２と、このシート状部材２２上に配設される第２の基板２３とから構成されている。これらを積層したフローセル２には、第２の基板２３を貫通し試料溶液が導入される導入口２４と、シート状部材２２と第２の基板２３との間に形成された２つの吸引ポンプ２７と、この吸引ポンプ２７と導入口２４とを接続する流路とが設けられている。この流路は、一端が導入口２４に接続し第１の基板２１と第２の基板２３との間にあるシート状部材２２内に形成された測定流路２５と、一端がこの測定流路２５の他端に接続しシート状部材２２と第２の基板２３との間に形成された抵抗流路２６とから構成されている。このように本実施例においては、抵抗流路２６が測定流路２５と吸引ポンプ２７との間に設けられている。【００３７】
≪第１の基板≫
第１の基板２１は、上述した第１の実施例の第１の基板１１と同等の形状および構成を有し、上面には、Ａｕ層２１ａが選択的に設けられている。【００３８】
≪シート状部材≫
シート状部材２２は、上述した第１の実施例のシート状部材１２と同等の材料から構成されるとともに同等の平面形状を有し、略中央に設けられた平面視略矩形のスリット２２１と、このスリット２２１の一端に接続された平面視略円形の開口部２２２とを有している。ここで、スリット２２１は、長手方向（Ｙ方向）がシート状部材２２の何れかの側部と略平行になるように形成されている。【００３９】
上述したスリット２２１は、第１の基板２１の上面および第２の基板２３の下面とともに、略直方体状の空間からなる測定流路２５を形成する。この測定流路２５の長手方向に垂直な断面は、水溶液に対して毛細管現象が発現する範囲の寸法とされる。【００４０】
≪第２の基板の構成≫
第２の基板２３は、上述した第１の実施例の第２の基板１３と同等の形状および構成を有し、一側寄りの略中央には、貫通孔２３１が形成されている。また、第２の基板２３の下面には、略中央から上記一側とは反対側の他側近傍にかけて形成された蛇行溝２３２と、この蛇行溝２３２の両側に形成された２つの空洞部２３３とが設けられている。【００４１】
貫通孔２３１は、開口部２２２と同等の平面形状に形成されている。【００４２】
蛇行溝２３２は、複数の屈曲部を有し、上記一側と上記他側との距離方向（Ｙ方向）に対して垂直な方向（Ｘ方向）に繰り返し折り曲げられたクランク状の平面形状を有している。その屈曲部は、略円弧状に、すなわち曲線状になだらかに曲げられている。また、蛇行溝２３２の他端は、第２の基板２３の上記他側近傍で分岐しており、それぞれ上記垂直な方向に沿って反対側に延在し隣接する空洞部２３３に接続している。【００４３】
空洞部２３３は、第２の基板２３の下面から上面に向けて設けられ、この空洞内にはその天井から下方（Ｚ方向の負の向き）に向かって突出した略円柱状の複数の突出部２３３ａが設けられている。この空洞部２３３は、平面視略矩形に形成され、上記一側寄りの端部および上記他側寄りの蛇行溝１３２の他端が接続されたのと反対側の角部に、第２の基板２３を貫通する空気孔２３３ｂ〜２３３ｅが形成されている。【００４４】
上述した貫通孔２３１は、開口部２２２および第１の基板２１の上面とともに、第１の基板２１の上面を底とする略円柱状の空間からなる導入口２４を形成する。【００４５】
また、上述した蛇行溝２３２は、第２の基板２３とシート状部材２２とが接することにより蛇行した抵抗流路２６を形成する。この抵抗流路２６は、水溶液に対して毛細管現象が発現する範囲の断面寸法とされる。【００４６】
また、上述した空洞部２３３における突出部２３３ａの間隔，幅，高さなど、吸引ポンプ２７の内部の各寸法は、毛細管現象が発現する範囲の値とされる。【００４７】
＜フローセルの製造方法＞
次に、本実施例に係るフローセル２の製造方法の一例について説明する。まず、第１の基板２１上にシート状部材２２を載置する。ここで、Ａｕ層２１ａを第１の基板２１の一部のみに設けた場合、測定流路２５を形成するスリット２２１が上記Ａｕ層２１ａ上に位置するように、第１の基板２１上にシート状部材２２を載置する。【００４８】
次に、貫通孔２３１と開口部２２２とが連続し、かつ蛇行溝２３２の一端がスリット２２１の他端内部に位置するように、シート状部材２２上に第２の基板２３を載置する。【００４９】
このように第１の基板２１、シート状部材２２および第２の基板２３を積層し、これらを第１の基板２１の下面側と第２の基板２３の上面側から押圧する。これにより、両面テープなどからなるシート状部材２２を介して第１の基板２１と第２の基板２３が互いに固定され、導入口２４，測定流路２５，抵抗流路２６および吸引ポンプ２７を備えたフローセル２が完成する。【００５０】
＜フローセルの動作＞
次に、本実施例に係るフローセル２の動作について説明する。【００５１】
本実施例においても、上述した第１の実施例と同様、吸引ポンプ２７内部に複数の突出部２３３ａが形成されているので、導入口２４に注入された試料溶液は、吸引ポンプ２７に吸引されて、測定流路２５および抵抗流路２６を通過し、吸引ポンプ２７に到達する。【００５２】
ここで、本実施例においても、図４に示すように、測定流路２は、フローセル２の略中央に設けられている。上述したように、測定装置の測定領域は、通常、測定チップの略中央に設定されている。このため、本実施例に係るフローセル２は、測定装置に搭載したときに、測定領域の焦点が測定流路２５にちょうど位置することとなり、結果として、その測定流路２５を流れる試料溶液をより確実に測定することができる。これにより、従来のように、焦点を再設定する際の手間を省くこともできる。【００５３】
また、本実施例では、図４に示すように、測定流路２５の両側にフローセル２の一側近傍から他側近傍にかけて吸引ポンプ２７が設けられている。言い換えると、吸引ポンプ２７は、フローセル２のＹ方向に沿った縁部と測定流路２５の間の領域に設けられている。このように、吸引ポンプ２７を測定流路２５の両側の領域に設けることにより、同じ平面形状を有する場合、従来のように各構成要素を一直線に並べて形成したときよりも、流すことができる試料溶液の容量を増やすことができる。これにより、流路に試料溶液を流す時間や容量を増加でき、測定時間も増加させることができるので、結果として、流路を流れる試料溶液をより確実に測定することができる。【００５４】
［第３の実施例］
次に、本発明に係る第３の実施例について説明する。なお、本実施例は、上述した第２の実施例と吸引ポンプの内部構成が相違するものである。したがって、本実施例において、上述した第１，第２の実施例と同等の構成要素については、同じ名称を付し、適宜説明を省略する。【００５５】
＜フローセルの構成＞
図８，図９に示すように、本実施例に係るフローセル３は、平面視略矩形の第１の基板３１と、この第１の基板３１上に配設されるシート状部材３２と、このシート状部材３２上に配設される第２の基板３３とから構成されている。これらを積層したフローセル３には、第２の基板３３を貫通し試料溶液が導入される導入口３４と、シート状部材３２と第２の基板３３との間に形成された２つの吸引ポンプ３７と、この吸引ポンプ３７と導入口３４とを接続する流路とが設けられている。この流路は、一端が導入口３４に接続し第１の基板３１と第２の基板３３との間にあるシート状部材３２内に形成された測定流路３５と、一端がこの測定流路３５の他端に接続しシート状部材３２と第２の基板３３との間に形成された抵抗流路３６とから構成されている。【００５６】
≪第１の基板≫
第１の基板３１は、上述した第１の実施例の第１の基板１１と同等の形状および構成を有し、上面には、Ａｕ層３１ａが選択的に設けられている。【００５７】
≪シート状部材≫
シート状部材３２は、上述した第１の実施例のシート状部材１２と同等の材料から構成されるとともに同等の平面形状を有し、略中央に設けられた平面視略矩形のスリット３２１と、このスリット３２１の一端に接続された平面視略円形の開口部３２２と、スリット３２１の両側に形成された平面視略矩形の吸引スリット３２３と、一端がスリット３２１の他端に接続され他端が分岐し対応する吸引スリット３２３に接続された導出スリット３２４とを有している。ここで、スリット３２１は、長手方向（Ｙ方向）がシート状部材２２の何れかの側部と略平行になるように形成されている。【００５８】
上述したスリット３２１は、第１の基板３１の上面および第２の基板３３の下面とともに、略直方体状の空間からなる測定流路３５を形成する。この測定流路３５の長手方向に垂直な断面は、水溶液に対して毛細管現象が発現する範囲の寸法とされる。【００５９】
また、導出スリット３２４は、第１の基板３１の上面および第２の基板３３の下面とともに、略直方体状の空間からなる抵抗流路３６を形成する。この抵抗流路３６の長手方向に垂直な断面は、水溶液に対して毛細管現象が発現する範囲の寸法とされる。【００６０】
≪第２の基板の構成≫
第２の基板３３は、上述した第１の実施例の第２の基板１３と同等の形状および構成を有し、一側寄りの略中央には、貫通孔３３１が形成されている。また、第２の基板３３の下面には、略中央および貫通孔３３１の両側に形成された２つのスリット部３３２が設けられている。【００６１】
貫通孔３３１は、開口部３２２と同等の平面形状に形成されている。【００６２】
スリット部３３２は、第２の基板３３の上記一側と他側とを結ぶ方向（Ｙ方向）に沿って延在し、第２の基板３３をその厚さ方向に貫通する複数の直線状のスリット３３２ａから構成されている。このスリット３３２ａは、隣り合うスリット３３２ａと所定間隔離間している。このようなスリット部３３２は、対応する吸引スリット３２３と略同等な外形を有する。【００６３】
上述した貫通孔３３１は、開口部３２２および第１の基板３１の上面とともに、第１の基板３１の上面を底とする略円柱状の空間からなる導入口３４を形成する。【００６４】
また、上述したスリット部３３２は、第１の基板３１の上面および吸引スリット３２３とともに、吸引ポンプ３７を構成する。スリット部３３２におけるスリット３３２ａの間隔や幅など、吸引ポンプ３７の内部の各寸法は、毛細管現象が発現する範囲の値とされる。【００６５】
＜フローセルの製造方法＞
次に、本実施例に係るフローセル３の製造方法の一例について説明する。まず、第１の基板３１上にシート状部材３２を載置する。ここで、Ａｕ層３１ａを第１の基板３１の一部のみに設けた場合、測定流路３５を形成するスリット３２１が上記Ａｕ層３１ａ上に位置するように、第１の基板３１上にシート状部材３２を載置する。【００６６】
次に、貫通孔３３１と開口部３２２とが連続し、かつスリット部３３２が吸引スリット３２３内部に位置するように、シート状部材３２上に第２の基板３３を載置する。【００６７】
このように第１の基板３１、シート状部材３２および第２の基板３３を積層し、これらを第１の基板３１の下面側と第２の基板３３の上面側から押圧する。これにより、両面テープなどからなるシート状部材３２を介して第１の基板３１と第２の基板３３が互いに固定され、導入口３４，測定流路３５，抵抗流路３６および吸引ポンプ３７を備えたフローセル３が完成する。【００６８】
＜フローセルの動作＞
次に、本実施例に係るフローセル３の動作について説明する。【００６９】
まず、導入口３４に試料溶液が注入されると、この試料溶液は、毛細管現象により測定流路３５、抵抗流路３６の順で進み、吸引ポンプ３７に流入する。この吸引ポンプ３７の内部は、複数のスリット３３２ａが形成されているので、このスリット３３２ａが形成されていない場合よりも単位体積当たりの表面積が大きくなっており、毛細管現象が発現する寸法となっている。本実施例においては、吸引ポンプ３７内部の試料溶液の液面に作用する表面張力が、導入口３４内部の試料溶液の液面に作用する表面張力よりも大きくなるように、スリット３３２ａの形状や間隔等が設定されている。【００７０】
したがって、導入口３４に注入された試料溶液は、測定流路３５および抵抗流路３６を通って吸引ポンプ３７に流入し、この吸引ポンプ３７を構成するスリット３３２ａ内部をその延在方向や高さ方向に沿って進行していく。なお、この進行する速度は、スリット３３２ａの外形や間隔などのスリット部３３２の形状や試料溶液にかかる抵抗等によって変化する。【００７１】
本実施例においても、図８に示すように、フローセル３の略中央に測定流路３５が設けられている。したがって、本実施例に係るフローセル３は、測定装置に搭載したときに、測定領域の焦点が測定流路３５にちょうど位置することとなるので、結果として、その測定流路３５を流れる試料溶液をより確実に測定することができる。これにより、従来のように、焦点を再設定する際の手間を省くこともできる。【００７２】
また、本実施例においても、図８に示すように、測定流路３５の両側にフローセル３の一側近傍から他側近傍にかけて吸引ポンプ３７が設けられている。言い換えると、吸引ポンプ３７は、フローセル３のＹ方向に沿った縁部と測定流路３５の間の領域に設けられている。このように、吸引ポンプ３７を測定流路３５の両側の領域に設けることにより、同じ平面形状を有する場合、従来のように各構成要素を一直線に並べて形成したときよりも、流すことができる試料溶液の容量を増やすことができる。これにより、流路に試料溶液を流す時間や容量を増加でき、測定時間も増加させることができるので、結果として、流路を流れる試料溶液をより確実に測定することができる。【００７３】
［第４の実施例］
次に、本発明に係る第４の実施例について説明する。なお、本実施例は、上述した第１〜第３の実施例と吸引ポンプの構成が相違するものである。したがって、本実施例において、上述した第１〜第３の実施例と同等の構成要素については、同じ名称を付し、適宜説明を省略する。【００７４】
＜フローセルの構成＞
図１０，図１１に示すように、本実施例に係るフローセル４は、平面視略矩形の第１の基板４１と、この第１の基板４１上に配設される第１のシート状部材４２と、この第１のシート状部材４２上に配設される第２のシート状部材４３と、この第２のシート状部材上に配設される第３のシート状部材４４と、この第３のシート状部材４４上に配設される第４のシート状部材４５と、この第４のシート状部材４５上に配設される第５のシート状部材４６とから構成されている。これらを積層したフローセル４には、第１〜第５のシート状部材４２〜４６を貫通し試料溶液が導入される導入口４７と、第１〜第５のシート状部材４２〜４６により形成される平面視略凹の字状の形状を有し内部に井桁状に配設された複数の流路を備えた吸引ポンプ４８と、一端が導入口４７に他端がポンプ４８に接続された測定流路４９とが設けられている。【００７５】
なお、本実施例において、第２のシート状部材４３と第４のシート状部材４５、および、第３のシート状部材４４と第５のシート状部材４６は、それぞれ同等の構成を有するので、以下において適宜説明を省略する。【００７６】
≪第１の基板≫
第１の基板４１は、上述した第１の実施例の第１の基板１１と同等の形状および構成を有し、上面には、Ａｕ層４１ａが選択的に設けられている。【００７７】
≪第１のシート状部材≫
第１のシート状部材４２は、上述した第１の実施例のシート状部材１２と同等の材料から構成されるとともに同等の平面形状を有し、略中央に設けられた平面視略矩形の測定スリット４２１と、この測定スリット４２１の一端に接続された平面視略円形の開口部４２２と、測定スリット４２１および開口部４２２の周囲に形成された複数のＹスリット４２３とを備えている。ここで、Ｙスリット４２３は、測定スリット４２１と同じ方向（Ｙ方向）に延在し、かつ、隣り合うＹスリット４２３と所定間隔離間して形成されている。このようなＹスリット４２３は、フローセル４を第１の基板４１および第１〜第５のシート状部材４２〜４６の積層方向から見たときに、Ａｕ層４１ａおよびこの近傍に相当する位置を除く位置に形成されている。【００７８】
上述した測定スリット４２１は、第１の基板４１の上面および第２のシート状部材４３の下面とともに、略直方体状の空間からなる測定流路４９を形成する。この測定流路４９の長手方向に垂直な断面は、水溶液に対して毛細管現象が発現する範囲の寸法とされる。【００７９】
また、Ｙスリット４２３は、第１の基板４１の上面および第２のシート状部材４３の下面とともに、吸引ポンプ４８の一部を構成するＹ方向に沿った流路を形成する。この流路は、後述する第２のシート状部材４３のＸスリット４３２によって形成される流路と、上記積層方向に重なる位置で接続されている。このような流路の寸法は、毛細管現象が発現する範囲の値とされる。【００８０】
なお、第１のシート状部材４２および第２〜第５のシート状部材４３〜４６に形成された測定スリット４２１等の形状は、レーザ加工機やカッティングプロッタ等を用いて作成することができる。【００８１】
≪第２，第４のシート状部材≫
第２，第４のシート状部材４３，４５は、上述した第１の実施例のシート状部材１２と同等の材料から構成されるとともに同等の平面形状を有し、第１のシート状部材４２の開口部４２２と同等の位置に形成された開口部４３１と、この開口部４３１および第２，第４のシート状部材４３，４５の略中央部を除く位置に形成された複数のＸスリット４３２とを備えている。このＸスリット４３２は、上述した測定スリット４２１と直行する方向（Ｘ方向）に延在し、かつ、隣り合うＸスリット４３２と所定間隔離間して形成されている。このようなＸスリット４３２は、フローセル４を第１の基板４１および第１〜第５のシート状部材４２〜４６の積層方向から見たときに、Ａｕ層４１ａおよびこの近傍に相当する位置を除く位置に形成されている。【００８２】
上述したＸスリット４３２は、第１のシート状部材４２の上面および第３のシート状部材４４の下面、または、第３のシート状部材４４の上面および第５のシート状部材４６の下面とともに、吸引ポンプ４８の一部を構成するＸ方向に沿った流路を形成する。この流路は、第１のシート状部材４２のＹスリット４２３によって形成される流路、または、後述する第３，第５のシート状部材４４，４６のＹスリット４４２によって形成される流路と、上記積層方向に重なる位置で接続されている。このような流路の寸法は、毛細管現象が発現する範囲の値とされる。【００８３】
≪第３，第５のシート状部材≫
第３，第５のシート状部材４４，４６は、上述した第１の実施例のシート状部材１２と同等の材料から構成されるとともに同等の平面形状を有し、第１のシート状部材４２の開口部４２２と同等の位置に形成された開口部４４１と、この開口部４４１および第３，第５のシート状部材４４，４６の略中央部を除く位置に形成された複数のＹスリット４４２とを備えている。このＹスリット４４２は、上述した測定スリット４２１の延在方向と同じ方向（Ｙ方向）に延在し、かつ、隣り合うＹスリット４４２と所定間隔離間して形成されている。このようなＹスリット４４２は、フローセル４を第１の基板４１および第１〜第５のシート状部材４２〜４６の積層方向から見たときに、Ａｕ層４１ａおよびこの近傍に相当する位置を除く位置に形成されている。【００８４】
上述したＹスリット４４２は、第２のシート状部材４３の上面および第４のシート状部材４５の下面、または、第４のシート状部材４５の上面とともに、吸引ポンプ４８の一部を構成するＹ方向に沿った流路を形成する。この流路は、第２のシート状部材４３または第４のシート状部材４５のＸスリット４３２によって形成される流路と、上記積層方向に重なる位置で接続されている。このような流路の寸法は、毛細管現象が発現する範囲の値とされる。【００８５】
＜フローセルの製造方法＞
次に、本実施例に係るフローセル４の製造方法の一例について説明する。まず、第１の基板４１上に第１のシート状部材４２を載置する。ここで、Ａｕ層４１ａを第１の基板４１の一部のみに設けた場合、測定流路４９を形成する測定スリット４２２が上記Ａｕ層４１ａ上に位置するように、第１の基板４１上に第１のシート状部材４２を載置する。【００８６】
次に、第１のシート状部材４２上に、それぞれの開口部４３１、４４１が連続するように、第２〜第５のシート状部材４３〜４６を順次積層し、これらを第１の基板４１の下面側と第５の基板４６の上面側から押圧する。これにより、両面テープなどからなる第１〜第５のシート状部材４２〜４６と第１の基板４１とが互いに固定され、導入口４７，吸引ポンプ４８および測定流路４９を備えたフローセル４が完成する。【００８７】
＜フローセルの動作＞
次に、本実施例に係るフローセル４の動作について説明する。【００８８】
まず、導入口４７に試料溶液が注入されると、この試料溶液は、毛細管現象により測定流路４９を進み、Ａｕ層４１ａ上方を通過して、測定流路４９の他端側に進む。この他端側の上方には、吸引ポンプ４８を構成するＸスリット４３２により形成された流路が接続されている。この流路を含む吸引ポンプ４８内部は、複数の流路を井桁状に配設することによって、このような構成を有しない場合よりも単位堆積当たりの表面積が大きくなっており、毛細管現象が発現する寸法となっている。本実施例においては、吸引ポンプ４８内部の試料溶液の液面に作用する表面張力が、導入口４７内部の試料溶液の液面に作用する表面張力よりも大きくなるように、吸引ポンプ４８内部の流路の形状や間隔等が設定されている。【００８９】
したがって、導入口４７に注入された試料溶液は、測定流路４９を通って吸引ポンプ４８に流入し、この吸引ポンプ４８を構成する井桁状に配設された流路内部をその延在方向や高さ方向に沿って進行していく。なお、この進行する速度は、Ｘスリット４３２，Ｙスリット４２３，４４２の形状および第１〜第５のシート状部材４２〜４６の厚さや試料溶液にかかる抵抗等によって変化する。【００９０】
本実施例においても、図１０に示すように、フローセル４の略中央に測定流路４９が設けられている。したがって、本実施例に係るフローセル４は、測定装置に搭載したときに、測定領域の焦点が測定流路４９にちょうど位置することとなるので、結果として、その測定流路４９を流れる試料溶液をより確実に測定することができる。これにより、従来のように、焦点を再設定する際の手間を省くこともできる。【００９１】
また、本実施例においても、図１０に示すように、測定流路４９の周囲、すなわち、フローセル４を平面視した状態における測定流路４９の一端側（導入口４７が接続された側）を除く領域に、測定流路４９を取り囲むように略コの字状の平面形状を有する吸引ポンプ４８が設けられている。より具体的には、Ｘ方向およびＹ方向に沿った縁部を有するフローセル４において、フローセル４のＹ方向に沿った縁部と測定流路４９との間の領域、および、測定流路４９の他端側に位置するフローセル４のＸ方向に沿った縁部と測定流路４９との間の領域に、吸引ポンプ４８が設けられている。このように、吸引ポンプ４８を測定流路４９の周囲の領域に設けることにより、フローセルが同じ平面形状を有する場合、従来のように各構成要素を一直線に並べて形成したときよりも、流すことができる試料溶液の容量を増やすことができる。これにより、流路に試料溶液を流す時間や容量を増加でき、測定時間も増加させることができるので、結果として、流路を流れる試料溶液をより確実に測定することができる。【００９２】
［第４の実施例］
次に、本発明に係る第４の実施例について説明する。【００９３】
＜フローセルの構成＞
図１２〜図１４に示すように、本実施例におけるフローセル５は、まず、ガラスなどの光を透過する下部基板（第１基板）５１と、下部基板５１の上に配置される上部基板（第２基板）５２と、上部基板５２に形成された試料溶液が導入される導入口５３と、下部基板５１および上部基板５２の対向する面の間に配置されて導入口５３に一端が接続して試料溶液が移送される流路５４とを備える。流路５４は、フローセル５の中央部を横切るように配置されている。上部基板５２は、板厚３ｍｍ程度に形成され、下部基板５１は、板厚１ｍｍ程度に形成されている。流路５４は、幅１ｍｍ、高さ１０〜１００μｍ程度に形成されている。【００９４】
また、本実施例のフローセル５は、流路５４の途中に設けられた検出部５５と、下部基板５１および上部基板５２の対向する面の間に配置され、流路５４の他端に接続する吸引流路５６と、上部基板５２を貫通して吸引流路５６に到達する複数の貫通孔５７とを備える。貫通孔５７は、例えば円筒形状（円管）である。また、貫通孔５７が形成されている領域（吸引流路５６の領域）に対応する上部基板５２の外部側表面には、凹部が形成されて排出部５８を構成している。また、流路５４の検出部５５においては、下部基板５１の流路に露出する面にＡｕからなる金属薄膜５９が形成されている。【００９５】
ここで、流路５４は、液体に対して毛細管現象が発現する範囲の断面寸法とされ、同様に、貫通孔５７は、液体に対して毛細管現象が発現する範囲の管径とされている。また、吸引流路５６の下部基板５１および上部基板５２の対向する方向（上下方向）の間隔は、流路５４より液体が浸入したときに、この浸入した液体が吸引流路５６の上下の両面に同時に接触可能な状態とされていればよい。言い換えると、その間隔は、吸引流路５６に液体が侵入したときに、吸引流路の上下方向に隙間が形成されない範囲に設定されている。【００９６】
また、本実施例のフローセル５は、例えば図１３に示すように、下部基板５１が、下地基板５１ａとスペーサ部５１ｂとから構成され、スペーサ部５１ｂをくり貫くように形成した開口部により、流路５４および吸引流路５６が形成され、検出部５５となる領域に対応する下地基板５１ａの上に、金属薄膜５９が形成されている。この場合、下地基板５１ａは、ガラスから構成され、スペーサ部５１ｂは、樹脂のフィルムから構成されている。【００９７】
また、本実施例では、図１４にも示すように、吸引流路５６は、フローセル５の流路５４の両脇に展開して配置され、流路５４の両脇の各々において、流路５４に接続する連結部５６ａおよび主吸引部５６ｂを備える。連結部５６ａにおいては、連結部５６ａの幅方向には１つの貫通孔５７が配置され、主吸引部５６ｂにおいては、下部基板５１（上部基板５２）の平面方向に、複数の貫通孔５７が２次元的に配列されている。なお、連結部５６ａにおいて、幅方向に２つ以上の貫通孔５７が配置されていてもよい。また、吸引流路５６は、下部基板５１と上部基板５２の上下方向および流路５４内部の液体の流れる方向（流路５４の延在方向）それぞれに対して垂直な方向の長さ（幅）が、流路５４より広く形成されており、この幅方向に、複数の貫通孔５７の列が配置され、この列が、幅方向に垂直な流路方向に配列されている。【００９８】
＜フローセルの動作＞
上述した本実施例のフローセル５によれば、導入口５３より導入された試料溶液は、毛細管現象により流路５４を流れて吸引流路５６に浸入する。吸引流路５６に到達した試料溶液は、いわゆる毛細管現象により貫通孔５７に吸い上げられる。導入口５３に導入された試料溶液は、吸引流路５６における複数の貫通孔５７に吸い上げられることで、流路５４を所定の流速で吸引流路５６の方向に流れていくことになる。【００９９】
このように、本実施例におけるフローセル５によれば、複数の貫通孔５７が設けられている吸引流路５６が、導入口５３より導入される試料溶液を、所定の流速（流量）で流路５４に流すための吸引ポンプとして機能する。【０１００】
また、本実施例においても、図１４に示すように、フローセル５の略中央に流路５４が設けられている。したがって、本実施例に係るフローセル５は、測定装置に搭載したときに、測定領域の焦点が流路５４にちょうど位置することとなるので、結果として、その流路５４を流れる試料溶液をより確実に測定することができる。これにより、従来のように、焦点を再設定する際の手間を省くこともできる。【０１０１】
また、本実施例におけるフローセル５によれば、図１４に示すように、流路５４の側方（両側）に、吸引流路５６（主吸引部５６ｂ）が展開して配置されているようにしたので、フローセル５全体の面積を大きく広げることなく、吸引流路５６の領域を拡大することができる。したがって、同じ平面形状を有する場合、従来のように各構成要素を一直線に並べて形成したときよりも、流すことができる試料溶液の容量を増やすことができる。これにより、流路に試料溶液を流す時間や容量を増加でき、測定時間も増加させることができるので、結果として、流路を流れる試料溶液をより確実に測定することができる。【０１０２】
［フローセルの適用例］
ここで、上述した第１〜第５の実施例に例示したフローセルの適用例について簡単に説明する。上述したフローセルは、よく知られた表面プラズモン共鳴現象を利用した測定に用いられる（特開２００１−１９４２９８号公報、特開２００２−２１４１３１号公報）。表面プラズモン共鳴現象を利用した測定は、測定対象の検体が接触した金属の表面における、エバネッセント波と表面プラズモン波との共鳴を用いるものである。【０１０３】
この測定では、図１５に示すように、光源１００１から出射された光を入射側レンズ１００２で集光してプリズム１００３に入射させ、プリズム１００３の上面部１００４に密着させているフローセル１００５の測定部として機能するＡｕ膜に照射する。フローセル１００５にはＡｕの薄膜が形成されており、このＡｕの薄膜の表面に検体が接触して配置され、Ａｕの薄膜の裏面に、フローセル１００５を透過してきた集光光が照射される。このようにして照射された集光光は、Ａｕの薄膜の裏面で反射し、いわゆるＣＣＤイメージセンサなどの撮像素子よりなる光検出部１００６で強度（光強度）が測定され、上記共鳴が起こる角度で反射率が低くなる谷が観測される。【０１０４】
このような測定では、Ａｕ膜の表面（検出部側）に固定された抗体やＤＮＡ断片に、選択的に結合する検体の有無を検出するものであるが、検出部に試料溶液を配置した状態では、対象となる検体と抗体とが反応したことによる変化と、検出部に異物が沈降して堆積した状態による変化との区別がない。これに対し、検出部において試料溶液が流れているようにすることで、異物の沈降が抑制されるようになり、上述した反応による変化を選択的に検出できるようになる。【０１０５】
なお、上述した第１〜５の実施例で示したフローセルでは、シート状部材を設けるようにしたが、これを設けずに第１の基板および第２の基板から構成するようにしてもよい。この場合、シート状部材に形成された各スリットを第１の基板または第２の基板に形成し、これらの側部に係着する部材を設けて互いを接合したり、接着剤などにより互いを接着したりすることにより実現することができる。【０１０６】
また、上述した第１〜５の実施例では、フローセルが全体として平面視略矩形の形状を有する場合を例に説明したが、フローセルの平面形状はこれに限定されず、フローセルを搭載する測定装置等の形状に応じて、適宜自由に設定することができる。【０１０７】
また、第１の実施例では、抵抗流路１５を形成する蛇行溝１３２の屈曲部は、略直角に折り曲げられているが、第２の実施例と同様に、略円弧状に、すなわち曲線状になだらかに曲げられるようにしてもよい。同様に、第２の実施例では、抵抗流路２６を構成する蛇行溝２３２の屈曲部は、略円弧状に曲げられているが、第１の実施例と同様に、略直角に曲げられるようにしてもよい。【０１０８】
また、第１，第２の実施例では、何れも抵抗流路を設ける場合を例に説明したが、この抵抗流路は設けないようにしてもよい。また、抵抗流路１５の形状、すなわち蛇行溝１３２の形状についても、上述したクランク状の形状に限定されず、適宜自由に設定することができる。【０１０９】
また、第１，第２の実施例では、空洞部１３３，２３３の内部に形成された突出部１３３ａ，２３３ａの端部が、シート状部材１２，２２と接触する場合を例に説明したが、その端部はシート状部材と接触しないようにしてもよい。これにより、突出部１３３ａを短くした分だけ吸引ポンプ１８，２７内部の容積が大きくなるので、吸引ポンプ１８，２７の容量を大きくすることができる。また、突出部１３３ａ，２３３ａの端部およびこの端部と当接していたシート状部材１２，２２の部分が露出することとなるので、大きな表面積を保つのみならず、場合によっては表面積をさらに大きくすることが可能となり、この場合には吸引力をさらに大きくすることができる。また、例えば飲食物や体液などの夾雑物を含む試料溶液をフローセルに注入する場合、従来では、その夾雑物が吸引ポンプ１８，２７内部に詰まってしまうことがあった。しかしながら、上述したように突出部１３３ａ，２３３ａの端部がシート状部材１２，２２に接触しないようにすることにより、これらの間に空隙が形成されるので、この空隙を夾雑物が通過することが可能となり、結果として、その夾雑物が吸引ポンプ１８，２７内部に詰まるのを防ぐことができる。【０１１０】
また、上述した第１〜第３の実施例では、スリット１２１，２２１，３２１が平面視略矩形の形状を有し、かつシート状部材１２，２２，３２の略中央部に設けた場合を例に説明したが、スリット１２１，２２１，３２１がＡｕ層１１ａ，２１ａ，３１ａ上を通過するのであれば、スリット１２１，２２１，３２１の形状および設ける位置については上述した場合に限定されず、適宜自由に設定することができる。したがって、スリット１２１，２２１，３２１により構成される測定流路１７，２５，３５の形状および位置についても、適宜自由に設定することができる。【０１１１】
また、上述した第１〜第３の実施例では、開口部１２２，２２２，３２２が平面視略円形の形状を有する場合を例に説明したが、開口部１２２，２２２，３２２が第２の基板１２，２３，３３の貫通孔１３１，２３１，３３１と連続する位置に存在するのであれば、開口部１２２，２２２，３２２の形状は平面視略円形に限定されず、適宜自由に設定することができる。【０１１２】
また、上述した第１の実施例では、空洞部１３３が平面視略コの字状の形状を有する場合を例に説明したが、空洞部１３３の平面形状はコの字状に限定されず、適宜自由に設定することができる。同様に、上述した第２，第３の実施例では、空洞部２３３が平面視略矩形の形状を有する場合を例に説明したが、空洞部２３３の平面形状は略矩形に限定されず、適宜自由に設定することができる。さらに、空洞部１３３，２３３内部に形成された突出部１３３ａ，２３３ａの形状についても、空洞部１３３，２３３内部の表面積が増加するのであれば略円柱状の形状に限定されず、適宜自由に設定することができる。【０１１３】
さらに、上述した第１〜第５の実施例において、吸引ポンプは、空洞部の内部に突出部や溝を設けた構成や複数の貫通孔を設けた構成を有する場合を例に説明したが、表面張力により液体を吸引する構成であれば、各種構成を適用することができる。例えば、上記空洞部内部に脱脂綿を配設して、この脱脂綿による毛細管力により液体を吸引する構成を採るようにしてもよい。また、上記空洞部内部にマイクロビーズやゼオライトなどの微粒子を詰め込み、隣接する微粒子の間の空間で生じる毛細管力により液体を吸引する構成を採るようにしてもよい。さらには、第３の実施例で示したスリット３３２ａの内部や第５の実施例で示した貫通孔５７の内部に、脱脂綿を詰め込んだ構成を採るようにしてもよい。
【産業上の利用可能性】
【０１１４】
例えば、マイクロＴＡＳ、Ｌａｂ  ｏｎ  ａ  ｃｈｉｐ、マイクロコンビナトリアルケミストリ、化学ＩＣ、化学センサ、バイオセンサ、微量分析、電気化学分析、クロマトグラフィー、ＱＣＭ測定、ＳＰＲ測定、ＡＴＲ測定など、試料溶液をハンドリングする分野において適用することができる。
【図１】
2009096527.tif 000003
【図２】
2009096527.tif 000004
【図３】
2009096527.tif 000005
【図４】
2009096527.tif 000006
【図５】
2009096527.tif 000007
【図６】
2009096527.tif 000008
【図７】
2009096527.tif 000009
【図８】
2009096527.tif 000010
【図９】
2009096527.tif 000011
【図１０】
2009096527.tif 000012
【図１１】
2009096527.tif 000013
【図１２】
2009096527.tif 000014
【図１３】
2009096527.tif 000015
【図１４】
2009096527.tif 000016
【図１５】
2009096527.tif 000017
【国際調査報告】
2009096527.tif 000018
2009096527.tif 000019
2009096527.tif 000020
2009096527.tif 000021